(57)【要約】【課題】物品の出入れ口を保形する樹脂プレートやゴムバンド等の構成部材を省き、巻込み袋を設ける縫製作業を不要とし、使用に伴っても物品の出入れ口が変形せず、また、折曲り皺の生じない物品の収納ポケットを備える。【解決手段】シートバック１の背部面に亘る背裏生地２０と、上端縁を物品の出入れ口とするポケット生地２１とから袋状を呈する物品の収納ポケット２をシートバック１の背部に備えるもので、伸縮可能なポケット生地２１から形成した物品の収納ポケット２を備える。【選択図】図１
2005152513.tif 000002
【特許請求の範囲】
【請求項１】
シートバックの背部面に亘る背裏生地と、上端縁を物品の出入れ口とするポケット生地とから袋状を呈する物品の収納ポケットをシートバックの背部に備えるバックポケット付き車輌用シートにおいて、伸縮可能なポケット生地から形成した物品の収納ポケットを備えてなることを特徴とするバックポケット付き車輌用シート。
【請求項２】
伸縮可能な面状弾性体のポケット生地から形成した物品の収納ポケットを備えてなることを特徴とする請求項１に記載のバックポケット付き車輌用シート。
【請求項３】
背裏生地と重なり合うポケット生地の縁辺を含む背裏生地の周回り縁をインサート成形による樹脂製の枠取りフレームで保持した物品の収納ポケットを備え、その物品の収納ポケットを枠取りフレームでシートバックの背部に組付け装着してなることを特徴とする請求項１または２に記載のバックポケット付き車輌用シート。
【請求項４】
伸縮可能な通常形態を有すると共に、枠取りフレームの樹脂成形に伴って熱収縮可能なポケット生地から形成した物品の収納ポケットを備えてなることを特徴とする請求項３に記載のバックポケット付き車輌用シート。
【請求項５】
シートバックの背部面に亘る背裏生地と、上端縁を物品の出入れ口とするポケット生地とから袋状を呈する物品の収納ポケットをシートバックの背部に備えるバックポケット付き車輌用シートにおいて、シートバックの背部面に亘る伸縮可能な背裏生地と、上端縁を物品の出入れ口とする伸縮可能なポケット生地とから形成した物品の収納ポケットを備えてなることを特徴とするバックポケット付き車輌用シート。
【請求項６】
シートバックの背部面に亘る伸縮可能な面状弾性体の背裏生地と、上端縁を物品の出入れ口とする伸縮可能な面状弾性体のポケット生地とから形成した物品の収納ポケットを備えてなることを特徴とする請求項５に記載のバックポケット付き車輌用シート。
【請求項７】
背裏生地と重なり合うポケット生地の縁辺を含む背裏生地の周回り縁をインサート成形による樹脂製の枠取りフレームで保持した物品の収納ポケットを備え、その物品の収納ポケットを枠取りフレームでシートバックの背部に組付け装着してなることを特徴とする請求項５または６に記載のバックポケット付き車輌用シート。
【請求項８】
伸縮可能な通常形態を有すると共に、枠取りフレームの樹脂成形に伴って熱収縮可能な背裏生地並びにポケット生地から形成した物品の収納ポケットを備えてなることを特徴とする請求項７に記載のバックポケット付き車輌用シート。
【発明の詳細な説明】
【技術分野】
【０００１】
本発明は、物品の収納ポケットをシートバックの背部に備えるバックポケット付き車輌用シートに関するものである。
【背景技術】
【０００２】
自動車用シートにおいては、シートバックの背部面に亘る背裏生地と、上端縁を物品の出入れ口とするポケット生地とにより袋状を呈する物品の収納ポケットをシートバックの背部に備えるものがある。
【０００３】
従来、その物品の収納ポケットは合皮やモケット等の伸びの少ない材質のポケット生地から形成されている。このため、物品の出入れ口を開口状に保形するべく、帯状の樹脂プレートをポケット生地の上端縁に設ける巻込み袋の芯材として差し込むことが行われている（特許文献１）。
【０００４】
その他に、ポケット生地の面内を内側に折り曲げて縦襞を設け、ゴムバンドをポケット生地の上端縁に設ける巻込み袋に挿通することから、物品の出入れ口を縦襞で広げられるよう形成することも行われている（特許文献２）。
【０００５】
上述した物品の収納ポケットでは、物品の出入れ口を保形するのに、樹脂プレートやゴムバンド等の構成部材を備え付けると共に、巻込み袋を設ける端末処理や縫付け等の縫製作業が必要となる。それに加えて、樹脂プレートやゴムバンド等の使用に伴う経時的変化により物品の出入れ口が変形し、また、物品の収納に伴う折曲り皺がポケット布地の下面寄りに付いてしまう虞れもある。
【特許文献１】特開２００１−２１１９６７号
【特許文献２】特開２００１−１５８３０３号
【発明の開示】
【発明が解決しようとする課題】
【０００６】
本発明の解決しようとする課題は、物品の出入れ口を保形する樹脂プレートやゴムバンド等の構成部材を省き、巻込み袋を設ける縫製作業を不要とし、使用に伴っても物品の出入れ口が変形せず、また、折曲り皺の生じない物品の収納ポケットを備える点である。
【０００７】
それと共に、バックパッドの背中空間を浅く形成しても底付き感のないよう組み立てられることから、シートバックの薄肉化，シート全体の軽量化を図れ、更には構成部材の組付け上から生ずる寸法誤差も抑えられる物品の収納ポケットを備える点である。
【課題を解決するための手段】
【０００８】
本発明の請求項１は、シートバックの背部面に亘る背裏生地と、上端縁を物品の出入れ口とするポケット生地とから袋状を呈する物品の収納ポケットをシートバックの背部に備えるバックポケット付きのもので、伸縮可能なポケット生地から形成した物品の収納ポケットを備えることを特徴とする。
【０００９】
本発明の請求項２は、伸縮可能な面状弾性体のポケット生地から形成した物品の収納ポケットを備えることを特徴とする。
【００１０】
本発明の請求項３は、背裏生地と重なり合うポケット生地の縁辺を含む背裏生地の周回り縁をインサート成形による樹脂製の枠取りフレームで保持した物品の収納ポケットを備え、その物品の収納ポケットを枠取りフレームでシートバックの背部に組付け装着することを特徴とする。
【００１１】
本発明の請求項４は、伸縮可能な通常形態を有すると共に、枠取りフレームの樹脂成形に伴って熱収縮可能なポケット生地から形成した物品の収納ポケットを備えることを特徴とする。
【００１２】
本発明の請求項５は、シートバックの背部面に亘る背裏生地と、上端縁を物品の出入れ口とするポケット生地とから袋状を呈する物品の収納ポケットをシートバックの背部に備えるもので、シートバックの背部面に亘る伸縮可能な背裏生地と、上端縁を物品の出入れ口とする伸縮可能なポケット生地とから形成した物品の収納ポケットを備えることを特徴する。
【００１３】
本発明の請求項６は、シートバックの背部面に亘る伸縮可能な面状弾性体の背裏生地と、上端縁を物品の出入れ口とする伸縮可能な面状弾性体のポケット生地とから形成した物品の収納ポケットを備えることを特徴とする。
【００１４】
本発明の請求項７は、背裏生地と重なり合うポケット生地の縁辺を含む背裏生地の周回り縁をインサート成形による樹脂製の枠取りフレームで保持した物品の収納ポケットを備え、その物品の収納ポケットを枠取りフレームでシートバックの背部に組付け装着することを特徴とする。
【００１５】
本発明の請求項８は、伸縮可能な通常形態を有すると共に、枠取りフレームの樹脂成形に伴って熱収縮可能な背裏生地並びにポケット生地から形成した物品の収納ポケットを備えることを特徴とする。
【発明の効果】
【００１６】
本発明の請求項１に係るバックポケット付き車輌用シートでは、伸縮可能なポケット生地から形成した物品の収納ポケットを備えることから、物品の出入れ口を保形するのに、樹脂プレートやゴムバンド等の構成部材が不要となり、巻込み袋を縫製作業も不要で、使用に伴っても物品の出入れ口が変形しないと共に、折曲り皺の生じない物品の収納ポケットとして備え付けられる。
【００１７】
本発明の請求項２に係るバックポケット付き車輌用シートでは、伸縮可能な面状弾性体のポケット布地から形成した物品の収納ポケットを備えることから、物品の出入れ口を含むポケット布地の保形性をより良好に保て、使用に伴っても物品の出入れ口が変形しないと共に、折曲り皺の生じない物品の収納ポケットとして備え付けられる。
【００１８】
本発明の請求項３に係るバックポケット付き車輌用シートでは、背裏生地と重なり合うポケット生地の縁辺を含む背裏生地の周回り縁をインサート成形による樹脂製の枠取りフレームで保持した物品の収納ポケットを備え、その物品の収納ポケットを枠取りフレームでシートバックの背部に組付け装着することから、ポケット布地を背裏生地と重ね合せて形成する物品の収納ポケットとして組付け上の寸法誤差が生ずるを確に抑えられる。
【００１９】
本発明の請求項４に係るバックポケット付き車輌用シートでは、伸縮可能な通常形態を有すると共に、枠取りフレームの樹脂成形に伴って熱収縮可能なポケット生地から形成した物品の収納ポケットを備えることから、ポケット生地を背裏生地と重ね合せて形成する物品の収納ポケットとして寸法誤差や皺，捩れが生ずるのを確実に抑えられて体裁を良好なものに保てる。
【００２０】
本発明の請求項５に係るバックポケット付き車輌用シートでは、シートバックの背部面に亘る伸縮可能な背裏生地と、伸縮可能なポケット生地とから形成した物品の収納ポケットを備えることから、殊に、バックボードレスタイプのシートとしてバックパッドの背中空間を浅く形成しても底付き感のないものに組み立てられるため、シートバックの薄肉化並びにシート全体の軽量化を図れる。
【００２１】
本発明の請求項６に係るバックポケット付き車輌用シートでは、シートバックの背部面に亘る伸縮可能な面状弾性体の背裏生地と、上端縁を物品の出入れ口とする伸縮可能な面状弾性体のポケット生地とから形成した物品の収納ポケットを備えることから、面状弾性体の背裏生地並びにポケット生地により形成する物品の収納ポケットとして伸縮性，保形性を共に良好に保て、バックパッドの背中空間を浅く形成しても底付き感のないものに組み立てられる。
【００２２】
本発明の請求項７に係るバックポケット付き車輌用シートでは、背裏生地と重なり合うポケット生地の縁辺を含む背裏生地の周回り縁をインサート成形による樹脂製の枠取りフレームで保持した物品の収納ポケットを備え、その物品の収納ポケットを枠取りフレームでシートバックの背部に組付け装着するため、背裏生地並びにポケット生地から形成する物品の収納ポケットとして組付け上の寸法誤差が生ずるを確実に抑えられる。
【００２３】
本発明の請求項８に係るバックポケット付き車輌用シートでは、伸縮可能な通常形態を有すると共に、枠取りフレームの樹脂成形に伴って熱収縮可能な背裏生地並びにポケット生地から形成した物品の収納ポケットを備えることから、背裏生地並びにポケット生地を枠取りフレームで緊張状態に保てるため、寸法誤差や皺，捩れが生ずるのを確実に抑えられて体裁の良好な物品の収納ポケットとして備えられる。
【発明を実施するための最良の形態】
【００２４】
図１は、バックポケット付き車輌用シートのうちから、主として自動車用シートを示す斜視図である。その自動車用シートのシートバック１は、図２で示すようにバックボードを備えず、物品の収納ポケット２を設けた嵌込み型のポケットユニットを備えて構成されている。
【００２５】
そのポケットユニットは、物品の収納ポケット２がシートバック１の背部面に亘る背裏生地２０と、上端縁を物品の出入れ口とするポケット生地２１とから形成され、また、背裏布地２０と重なり合うポケット生地２１の縁辺を含む背裏生地２０の周回り縁を樹脂製の枠取りフレーム２２で張設保持したものとして形成されている。
【００２６】
背裏布地２０，ポケット布地２１は、いずれも伸縮可能な通常形態を有すると共に、枠取りフレームの樹脂成形に伴って熱収縮可能な面状弾性体から形成されている。その生地としては、エラストマー系のポリエステル弾性糸によるファブリックを用いるようにできる。この背裏布地２０，ポケット布地２１のうち、ポケット布地２１としてはネット地を用いるようにできる。
【００２７】
背裏布地２０は、シートバック１の背部面に亘る面積を有するよう形成されている。ポケット生地２１は、上端縁を物品の出入れ口として形成することから、背裏布地２０と同じ横幅を有し、且つ、背裏布地２０よりも小さい縦幅を有するよう形成されている。この背裏布地２０，ポケット布地２１としては、枠取りフレーム２２の樹脂成形時に１０〜１５％程度の熱収縮可能な材質のものが用いられている。
【００２８】
枠取りフレーム２２は、背裏生地２０と重なり合うポケット生地２１の縁辺を含む背裏生地２０の周回り縁をインサートさせて樹脂成形することから、背裏布地２０，ポケット布地２１を縁取り保持するポケットユニットとして形成されている。
【００２９】
枠取りフレーム２２の樹脂成形時には、溶融樹脂から熱を段階的に加えて背裏布地２０，ポケット布地２１を１０〜１５％程度に熱収縮させる。また、枠取りフレーム２２の成形後最終的に熱を加えて背裏布地２０，ポケット布地２１を５％程度熱収縮させる。これにより、張りを背裏布地２０，ポケット布地２１に持たせられるため、通常形態で伸縮性を有する物品の収納ポケットとして体裁の良好なものに形成できると共に、組付け上の寸法誤差が生ずるのも抑えられる。
【００３０】
そのポケットユニットは、枠取りフレーム２２をクリップ等でシートバックフレームにあてがい装着し、シートバック１の背部空間に嵌込み固定することにより、バックボードレスタイプの収納ポケット２としてシートバック１の背部に組み付けられる。
【００３１】
このように構成するバックポケット付きの自動車用シートでは、伸縮可能な材質のポケット布地２１から形成した物品の収納ポケット２を備えるため、物品の出入れ口を保形するに、物品の出入れ口を保形する樹脂プレートやゴムバンド等の構成部材が不要となり、巻込み袋を設ける縫製作業も不要で、使用に伴っても物品の出入れ口が変形しないと共に、折曲り皺の生じない物品の収納ポケットとして備え付けられる。
【００３２】
その収納ポケット２を備える自動車用シートにおいては、ポケット布地２１と共に、背裏布地２０を伸縮可能な面状弾性体の布地で形成したバックボードレスタイプの収納ポケットとしてシートバック１の背部に備えるため、図３で示すようにバックパッド３が着座者の荷重で後部側に膨らんでも背裏布地２０，ポケット布地２１の伸びで吸収できることから、バックパッド３の背部空間を浅く形成しても底付き感を与えないよう組み立てられる。これにより、シートバックの薄肉化並びにシート全体の軽量化を図れる。
【００３３】
上述した実施の形態は、伸縮可能な面状弾性体の背裏布地２０，ポケット布地２１より形成した物品の収納ポケット２に基づいて説明したが、面状弾性体の形態を備えないで、この他の伸縮性を有する材質の布地からでも物品の収納ポケットとして形成するようにできる。
【００３４】
上述した実施の形態は、主に、背裏布地２０，ポケット布地２１を共に伸縮性を有する材質のもので形成する場合に基づいて説明したが、伸縮性を有するポケット布地のみから物品の収納ポケットを形成する場合にも適用できる。この場合には、ポケット布地を枠取りフレームと一体にインサート成形すると共に、背裏布地を枠取りフレームの枠内に張設することにより、バックボードレスタイプの収納ポケットとしてシートバック１の背部に備えられる。
【００３５】
その他に、伸縮可能なポケット布地の端末をバックボードの内側に巻き込んでタッカー止めすることから、張りのあるポケット布地による物品の収納ポケットとして形成できる。この場合にも、物品の出入れ口を保形するに、物品の出入れ口を保形する樹脂プレートやゴムバンド等の構成部材が不要となり、巻込み袋を設ける縫製作業も不要で、使用に伴っても物品の出入れ口が変形しないと共に、折曲り皺の生じない物品の収納ポケットとして備え付けられる。
【００３６】
上述したポケットユニットは嵌込み型のものに基づいて説明したが、図４で示すようにシートバックの側部を被包するサイドカバーを一体成形した枠取りフレーム２２による回込み型として形成する場合にも同様に適用できる。また、バックポケットを自動車用シートに備える場合のみに基づいて説明したが、飛行機，列車を含む各種の車輌用シートに備える場合にも適用できる。
【図面の簡単な説明】
【００３７】
【図１】本発明の一例に係る自動車用のバックポケット付きシートを背部側から示す斜視図である。
【図２】図１のシートに備えられるバックポケットを示す側断面図である。
【図３】図１のシートにおけるバックパッドを着座者の荷重による変形状態で示す説明図である。
【図４】本発明の別の例に係る自動車用のバックポケット付きシートを背部側から示す斜視図である。
【符号の説明】
【００３８】
１            シートバック
２            物品の収納ポケット
２０          背裏布地
２１          ポケット布地
２２          枠取りフレーム
【図１】
2005152513.tif 000003
【図２】
2005152513.tif 000004
【図３】
2005152513.tif 000005
【図４】
2005152513.tif 000006